(57)【要約】【課題】表示器で反射する光によって表示視認性や表示品位が低下することを抑制する車両用表示装置を提供する。【解決手段】車両１０に搭載されて、車両に関連する車両情報を画像として表示する表示部１３と、光の透過率を調節可能として、車両のウィンドウ１１に設けられた調光フィルム１２０と、調光フィルムにおける透過率を制御して、車内に入射する外光の光量を制御する制御部１３０と、を備える車両用表示装置において、外光の車内への入射方向に関連する情報を取得する情報取得部１１０を備え、制御部は、情報に基づいて、表示部の表示面１３Ａに入射した外光が、車両の乗員に向けて反射しないように、調光フィルムの透過率を制御する。【選択図】図２
2020050016.tif 000002
【特許請求の範囲】
【請求項１】
車両（１０）に搭載されて、
前記車両に関連する車両情報を画像として表示する表示部（１３）と、
光の透過率を調節可能として、前記車両のウィンドウ（１１）に設けられた調光フィルム（１２０）と、
前記調光フィルムにおける前記透過率を制御して、車内に入射する外光の光量を制御する制御部（１３０）と、を備える車両用表示装置において、
前記外光の前記車内への入射方向に関連する情報を取得する情報取得部（１１０）を備え、
前記制御部は、前記情報に基づいて、前記表示部の表示面（１３Ａ）に入射した前記外光が、前記車両の乗員に向けて反射しないように、前記調光フィルムの前記透過率を制御する車両用表示装置。
【請求項２】
前記調光フィルムは、電界無印加時に光透過性を発揮し、電界印加時の電圧が増加するに応じて、遮光性が上昇する請求項１に記載の車両用表示装置。
【請求項３】
前記制御部は、前記ウィンドウのうち、前記外光が前記表示面に入射する領域で部分的に、前記調光フィルムの前記透過率を制御する請求項１または請求項２に記載の車両用表示装置。
【請求項４】
前記乗員の視線方向を検知する視線検知部（１１５）を備え、
前記制御部は、前記車両が運転状態にあるとき、前記乗員のうち、運転者の視線方向に対応する前記調光フィルムの前記透過率の制御を禁止する請求項１〜請求項３のいずれか１つに記載の車両用表示装置。
【請求項５】
前記乗員の視線方向を検知する視線検知部（１１５）を備え、
前記制御部は、前記乗員の視線が、前記表示部に向いているときに、前記調光フィルムの前記透過率の制御を行う請求項１〜請求項３のいずれか１つに記載の車両用表示装置。
【請求項６】
前記乗員の視線方向を検知する視線検知部（１１５）を備え、
前記制御部は、運転者を含む複数の前記乗員の視線方向に基づいて、前記調光フィルムの前記透過率の制御を行う際に、すべての前記乗員に対して前記透過率の制御が同時に達成できないとき、複数の前記乗員のうち、前記運転者の視線方向に基づく前記透過率の制御を優先する請求項１〜請求項３のいずれか１つに記載の車両用表示装置。
【発明の詳細な説明】
【技術分野】
【０００１】
本発明は、車両に搭載されて、各種車両情報を表示する車両用表示装置に関するものである。
【背景技術】
【０００２】
従来、例えば、特許文献１には、液晶分子が電界印加により制御される調光フィルムを用いた調光システムが記載されている。
【０００３】
調光フィルムは、例えば、自動車のウィンドウガラスに設けられて、自動車の車室内への外光透過を制御（透過率可変による透過、遮光の制御）するようになっている。調光フィルムは視角方向によって著しく透過率が変化するようになっており、調光フィルムの視野角特性を利用して、運転手の視界を損なうことなく、同乗者のプライバシーの保護（車外から見えない）を可能としている。
【先行技術文献】
【特許文献】
【０００４】
【特許文献１】特開２０１８−５５００３号公報
【発明の概要】
【発明が解決しようとする課題】
【０００５】
しかしながら、上記特許文献１においては、単に、運転手や同乗者に対する外光の透過度合いが調整されるに過ぎない。自動車の車室内に搭載される車両の情報表示用のディスプレイ（表示器）において、昼間の太陽光が車両のフロント、サイド、リアウィンドウ等を通してディスプレイ表示面に入射・反射すると、車両乗員の表示視認性や表示品位が低下するという問題がある。
【０００６】
本発明の目的は、上記問題に鑑み、表示器で反射する光によって表示視認性や表示品位が低下することを抑制する車両用表示装置を提供することにある。
【課題を解決するための手段】
【０００７】
本発明は上記目的を達成するために、以下の技術的手段を採用する。
【０００８】
本発明では、車両（１０）に搭載されて、
車両に関連する車両情報を画像として表示する表示部（１３）と、
光の透過率を調節可能として、車両のウィンドウ（１１）に設けられた調光フィルム（１２０）と、
調光フィルムにおける透過率を制御して、車内に入射する外光の光量を制御する制御部（１３０）と、を備える車両用表示装置において、
外光の車内への入射方向に関連する情報を取得する情報取得部（１１０）を備え、
制御部は、情報に基づいて、表示部の表示面（１３Ａ）に入射した外光が、車両の乗員に向けて反射しないように、調光フィルムの透過率を制御することを特徴としている。
【０００９】
この発明によれば、情報に基づいて、外光が入射しようとする入射領域において、調光フィルム（１２０）に対する調光制御が実行される。これにより、表示面（１３Ａ）に入射した外光が車両１０の乗員Ａ（Ｂ）に向けて反射しないようにすることができるので、表示部（１３）の表示視認性や表示品位の低下を抑制することができる。
【００１０】
尚、上記各手段の括弧内の符号は、後述する実施形態記載の具体的手段との対応関係を示すものである。
【図面の簡単な説明】
【００１１】
【図１】車両における車両用表示装置の各構成を示す説明図である。
【図２】車両用表示装置の構成を示すブロック図である。
【図３】調光フィルムの構造、および部分的な調光制御を行う場合を示す説明図である。
【図４】調光フィルムにおいて、ウィンドウの全体にわたって調光制御を行う場合と、部分的な調光制御を行う場合とを示す説明図である。
【図５】外光が表示面で反射する様子を示す説明図（平面図）である。
【図６】外光が表示面で反射する様子を示す説明図（側面図）である。
【図７】調光フィルムを制御する際の要領を示すフローチャートである。
【図８】図７のステップＳ１６０のサブルーチンの内容を示すフローチャートである。
【図９】乗員の視線方向の例を示す説明図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態における車両用表示装置１００について図１〜図９を用いて説明する。本実施形態の車両用表示装置１００は、車両１０に搭載されて、例えば、車両１０に関連する車両情報を、画像によって表示部１３に表示するものとなっている。本実施形態では、車両１０は、例えば、右ハンドル車の場合を示している。以下、車両用表示装置１００を、単に表示装置１００と呼ぶことにする。
【００１４】
尚、車両１０には、複数のウィンドウ１１が設けられており、外光が車内に入射するようになっている。複数のウィンドウ１１は、フロントウィンドウ１１ａ、右前サイドウィンドウ１１ｂ、右後ろサイドウィンドウ１１ｃ、左前サイドウィンドウ１１ｄ、左後ろサイドウィンドウ１１ｅ、およびリアウィンドウ１１ｆである（図１、図５）。
【００１５】
表示装置１００は、図１〜図４に示すように、表示部１３、情報取得部１１０、調光フィルム１２０、および制御部１３０等を備えている。表示装置１００は、外光が車内に入射して、表示部１３の表示面１３Ａにおいて乗員に向けて反射しないように制御する機能を備えている。本実施形態では、外光を例えば、太陽光として説明する。
【００１６】
表示部１３は、例えば、メータディスプレイ１３ａ、カーナビ用ディスプレイ１３ｂ、空調用ディスプレイ１３ｃ、センタ電子ミラー１３ｄ、右電子ミラー１３ｅ、および左電子ミラー１３ｆ等となっており、液晶ディスプレイや有機ＥＬディスプレイ等が使用されている。
【００１７】
メータディスプレイ１３ａは、いわゆるコンビネーションメータに相当するものであり、車両１０のインストルメントパネル１２において、運転者（ここでは乗員Ａ）と対向する位置に設けられて、車速、エンジン回転数等の車両走行情報を表示するようになっている。カーナビ用ディスプレイ１３ｂは、インストルメントパネル１２の上部で左右方向の中央に設けられて、地図、地図上における自車位置、および目的地案内等のカーナビ情報を表示するようになっている。空調用ディスプレイ１３ｃは、インストルメントパネル１２において、カーナビ用ディスプレイ１３ｂの下側に設けられて、空調装置の設定条件、作動状況等の空調情報を表示するようになっている。
【００１８】
また、センタ電子ミラー１３ｄは、いわゆるバックミラーに相当するものであり、フロントウィンドウ１１ａの上部で左右方向の中央に設けられて、カメラによって撮影された車両１０の後方の映像（後方情報）を表示するようになっている。右電子ミラー１３ｅは、いわゆる右ドアミラーに相当するものであり、インストルメントパネル１２の右端に設けられて、カメラによって撮影された車両１０の右後側方の映像（右後側方情報）を表示するようになっている。左電子ミラー１３ｆは、いわゆる左ドアミラーに相当するものであり、インストルメントパネル１２の左端に設けられて、カメラによって撮影された車両１０の左後側方の映像（左後側方情報）を表示するようになっている。
【００１９】
上記のように、本実施形態では、表示部１３としては、複数の表示部（１３ａ〜１３ｆ）が設けられているが、以下、作動説明等において、カーナビ用ディスプレイ１３ｂを代表例として説明する（図５、図６）。
【００２０】
情報取得部１１０は、車両１０において、太陽光の車内への入射方向に関連する情報を取得する部位であり、日付・時刻取得部１１１、天候・日射量取得部１１２、自車情報取得部１１３、乗員位置取得部１１４等を有している。加えて、情報取得部１１０は、乗員視線検知部１１５を有している。
【００２１】
日時・時刻取得部１１１は、例えば、カレンダータイマーであり、今現在の日付け、および時刻が把握されるようになっている。日時・時刻データは、後述する自車情報と併せて、車両１０の現在位置（自車位置）に対する太陽の位置を得るためのデータとなる。日時・時刻取得部１１１は、取得した日時・時刻データを後述する制御部１３０（車両情報入力部１３１）に出力するようになっている。
【００２２】
天候・日射量取得部１１２は、例えば、外部との無線通信によって接続されるインターネットの天気予報サイト等から、自車位置における天候・日射量のデータを得る部位となっている。天候・日射量データは、後述する調光フィルム１２０の調光制御の必要性を判断するためのデータとなる。天候・日射量取得部１１２は、取得した天候・日射量データを後述する制御部１３０（車両情報入力部１３１）に出力するようになっている。
【００２３】
自車情報取得部１１３は、例えば、ＧＰＳ、ジャイロセンサ、および加速度センサ等を有しており、自車の地図上における位置、方向、および傾き等の自車情報を得る部位となっている。自車情報は、日時・時刻データと併せて、太陽光が表示部１３の表示面１３Ａに入射して、乗員に反射する際の、ウィンドウ１１における太陽光の入射領域を算出するためのデータとなる。自車情報取得部１１３は、取得した自車情報を後述する制御部１３０（車両情報入力部１３１）に出力するようになっている。
【００２４】
乗員位置取得部１１４は、例えば、シートに設けられた位置センサが用いられて、車両１０のどのシートに乗員が乗車しているかという乗員情報を得る部位となっている。乗員情報は、後述する調光フィルム１２０の調光制御を行う際に、どの乗員が調光制御の対象と成り得るかを得るためのデータとなる。図１（図５）では、運転席に乗員Ａが、助手席に乗員Ｂが乗車している場合を示している。乗員位置取得部１１４は、取得した乗員情報を後述する制御部１３０（車両情報入力部１３１）に出力するようになっている。
【００２５】
乗員視線検知部１１５は、乗員の顔の位置、および顔の向きに対する瞳の位置から、乗員の視線方向を検出する部位となっており、例えば、インストルメントパネル１２において、運転席、および助手席と対向する位置にそれぞれ設けられている。乗員視線検知部１１５としては、例えば、２次元画像、あるいは３次元画像を形成するカメラを用いることができる。視線方向の情報は、各乗員に対して、後述する調光フィルム１２０の調光制御の必要性を判断するためのデータとなる。乗員視線検知部１１５は、取得した視線方向情報を後述する制御部１３０（車両情報入力部１３１）に出力するようになっている。
【００２６】
調光フィルム１２０は、光の透過率を調節可能とするフィルム部材であり、各ウィンドウ１１ａ〜１１ｆのそれぞれに対して、全領域を覆うように設けられている。調光フィルム１２０は、フロントウィンドウ１１ａに設けられたフロントフィルム１２１、右前サイドウィンドウ１１ｂに設けられた右前フィルム１２２、右後ろサイドウィンドウ１１ｃに設けられた右後ろフィルム１２３、左前サイドウィンドウ１１ｄに設けられた左前フィルム１２４、左後ろサイドウィンドウ１１ｅに設けられた左後ろフィルム１２５、およびリアウィンドウ１１ｆに設けられたリアフィルム１２６を有している（図５）。
【００２７】
調光フィルム１２０は、一対のフィルム基板の間に液晶分子が挟まれるようにして形成されており、各フィルム基板に設けられた電極に電界を印加することで、液晶分子の傾きが変更されて、光の透過率が調節されるようになっている。調光フィルム１２０の透過率は、後述する制御部１３０（調光制御部１３３）によって制御される（調光制御される）ようになっている。
【００２８】
調光フィルム１２０は、電界無印加時に光透過性を発揮し、電界印加時の電圧が増加するに応じて、遮光性が上昇するようになっている。つまり、調光フィルム１２０は、電界無印加時は、光透過性を示す状態を維持するので、ウィンドウ１１が遮られることが無く、乗員は外の景色、状況等を視認することが可能となる。逆に、電界印加時は、調光フィルム１２０は、遮光性を示す状態となり、外部に対してウィンドウ１１が遮られる形となる。
【００２９】
また、調光フィルム１２０における電極は、例えば、図３に示すように、Ｘ方向と、Ｙ方向に駆動ラインが複数並ぶように形成されており、各方向の駆動ラインのうち、所定の駆動ラインを選択して、電界を印加することで、選択された領域において部分的に調光できるようになっている（部分調光）。尚、調光フィルム１２０においては、図４に示すように、各方向の駆動ラインの全部を選択して、電界印加すれば、部分調光に対して、調光フィルム１２０の全領域にわたって、調光（遮光）する全面調光も可能となっている。
【００３０】
制御部１３０は、情報取得部１１０から得られる各種情報に基づいて、表示部１３の表示面１３Ａに入射した太陽光が、乗員に向けて反射しないように、調光フィルム１２０の透過率を制御して（調光制御して）、車内に入射する太陽光の光量を制御する部位となっている。制御部１３０は、車両情報入力部１３１、調光演算部１３２、および調光制御部１３３等を有している。
【００３１】
車両情報入力部１３１は、情報取得部１１０で得られた各種情報（日時・時刻データ、天候・日射量データ、自車情報、乗員情報、および乗員の視線方向情報）が入力される部位となっている。車両情報入力部１３１は、入力された各種情報を調光演算部１３２に出力するようになっている。
【００３２】
調光演算部１３２は、各種情報（太陽の位置、自車の位置、向き、傾き等）を基に、太陽光が、車内に入射し表示部１３（カーナビ用ディスプレイ１３ｂ）の表示面１３Ａで反射して、乗員に至る場合（図５、図６）の、ウィンドウ１１における太陽光の入射領域を算出する部位となっている。また、調光演算部１３２は、入射領域における調光フィルム１２０に対して付加すべき電圧を決定する部位となっている。
【００３３】
調光制御部１３３は、調光演算部１３２によって算出されたウィンドウ１１における太陽光の入射領域に対応する調光フィルム１２０の透過率の制御（調光制御）を実行する部位となっている。
【００３４】
本実施形態の表示装置１００は、上記のような構成となっており、以下、図５〜図７を加えて、作動および作用効果について説明する。
【００３５】
図７のフローチャートにおいて、まず、ステップＳ１００で、制御部１３０は、車両１０の電源（ＩＧ）がオンされると、ステップＳ１１０で、乗員からの調光システム（調光フィルム１２０に対する調光制御）のオンオフ情報を取得する。
【００３６】
ステップＳ１２０で、制御部１３０は、調光システムがオンされたと判定すると、ステップＳ１３０で、情報取得部１１０から各種情報を取得し、ステップＳ１４０に移行する。尚、制御部１３０は、ステップＳ１２０で、否定判定すると、ステップＳ１８０に移行する。
【００３７】
ステップＳ１４０では、制御部１３０（調光演算部１３２）は、各種情報のうち、日時・時刻データから、車両１０の周囲環境は、昼なのか夜なのかを判定し、昼であると判定するとステップＳ１５０に移行し、夜であると判定するとステップＳ１８０に移行する。
【００３８】
ステップＳ１５０では、制御部１３０（調光演算部１３２）は、各種情報のうち、天候・日射量データ、および自車情報から、調光フィルム１２０の透過率を制御（以下、調光制御）するにあたって、制御すべき調光フィルム１２０の対象領域（位置）、および透過率（調光レベル）を演算する。
【００３９】
調光演算部１３２は、ウィンドウ１１において、制御すべき調光フィルム１２０の対象領域を演算するにあたって、図５に示すように、太陽の位置と、車両１０（自車）の位置、方向、傾きより算出する。即ち、調光演算部１３２は、車内に入射した太陽光のうち、表示部１３（カーナビ用ディスプレイ１３ｂ）の表示面１３Ａに入射する入射角θ２、φ２と、表示面１３Ａで反射する反射角θ１、φ１と、が同等となって乗員（乗員Ａ）に至る場合の、ウィンドウ１１における太陽光の入射領域（位置）を、制御すべき調光フィルム１２０の対象領域として算出する。
【００４０】
また、調光演算部１３２は、調光フィルム１２０の調光レベルを演算するにあたっては、天候・日射量データから算出し、調光フィルム１２０の電極に印加する電圧を算出する。
【００４１】
次に、ステップＳ１６０のサブルーチンＡ（図８）で、調光演算部１３２は、調光制御の実行にあたって、どの乗員（乗員Ａ、Ｂ）を優先するか、あるいは優先は不要であるかを決定する。
【００４２】
図８に示すように、まず、ステップＳ１６１で、調光演算部１３２は、乗員視線検知部１１５からの視線方向情報に基づいて、乗員Ａ、Ｂの視線方向（図９中の矢印）を算出し、ステップＳ１６２に移行する。
【００４３】
ステップＳ１６２では、調光演算部１３２は、乗員Ａ、Ｂの視線は、表示部１３に向いているのか、車外に向いているのかを判定する。ステップＳ１６２で、調光演算部１３２は、乗員Ａ、Ｂの視線は、共に表示部１３に向いていると判定すると、乗員Ａ、Ｂに対する優先は不要として、本サブルーチンＡを終了する。
【００４４】
また、ステップＳ１６２で、調光演算部１３２は、乗員Ａ、Ｂの一方の視線は表示部１３に向き、乗員Ａ、Ｂの他方の視線は車外に向いていると判定すると、ステップＳ１６３に移行する。また、ステップＳ１６２で、調光演算部１３２は、乗員Ａ、Ｂの視線は、共に車外に向いていると判定すると、ステップＳ１６８に移行する。
【００４５】
ステップＳ１６３では、調光演算部１３２は、乗員Ａ、Ｂの視線方向のパターンが１であるか２であるかを判定する。パターン１は、乗員Ａの視線が表示部１３に向き、乗員Ｂの視線が車外に向いている場合である。また、パターン２は、乗員Ａの視線が車外に向き、乗員Ｂの視線が表示部１３に向いている場合である。ステップＳ１６３で、調光演算部１３２は、パターン１であると判定すると、ステップＳ１６４に移行し、パターン２であると判定すると、ステップＳ１６６に移行する。
【００４６】
ステップＳ１６４では、調光演算部１３２は、乗員Ａ、Ｂの視線方向に対する調光制御が両立するか否かを判定し、両立しない場合は、ステップＳ１６５で、乗員Ｂに対する調光制御に係る演算値をキャンセルして、乗員Ａの表示部１３に対する視認性確保のために、乗員Ａに対する調光制御を優先する。尚、ステップＳ１６４で両立する場合は、乗員Ａ、Ｂに対する優先付けは不要として、本サブルーチンＡを終了する。
【００４７】
一方、ステップＳ１６６では、ステップＳ１６４と同様に、調光演算部１３２は、乗員Ａ、Ｂの視線方向に対する調光制御が両立するか否かを判定し、両立しない場合は、ステップＳ１６７で、乗員Ｂに対する調光制御に係る演算値をキャンセルして、乗員Ａの車外に対する視認性確保のために、乗員Ａに対する調光制御を優先する。尚、ステップＳ１６６で両立する場合は、乗員Ａ、Ｂに対する優先付けは不要として、本サブルーチンＡを終了する。
【００４８】
更に、ステップＳ１６８では、乗員Ａ、Ｂ共に、視線方向は車外に向いていることから、調光演算部１３２は、乗員Ａ、Ｂに対する調光制御に係る演算値をキャンセルして、乗員Ａ、Ｂの車外に対する視認性を確保して、本サブルーチンＡを終了する。
【００４９】
図７に戻って、上記のサブルーチンＡを終了すると、ステップＳ１７０で、制御部１３０（調光制御部１３３）は、ステップＳ１５０で演算した対象領域（位置）が、算出した調光レベルとなるように、対応する電極に電界を印加する。これにより、調光フィルム１２０の制御すべき対象領域の透過率が低下されて、表示部１３に向かい、更に表示部１３で反射した後に乗員に至るような太陽光の入射を抑制する。
【００５０】
尚、ステップＳ１７０において、乗員Ａ（運転者）が車両１０の運転を行っているとき、乗員Ａ、Ｂのうち、乗員Ａの視線方向に対応する調光フィルム１２０については、調光制御を禁止するようにするのがよい。
【００５１】
また、ステップＳ１７０において、乗員Ａ、Ｂの視線が、表示部１３に向いているときに限定して、調光制御を行うようにするとよい。
【００５２】
以上のように、本実施形態においては、制御部１３０は、情報取得部１１０によって取得された太陽光の入射方向に関連する情報に基づいて、太陽光が入射しようとする入射領域において、調光フィルム１２０に対する調光制御が実行される。これにより、表示面１３Ａに入射した太陽光が車両１０の乗員Ａ（Ｂ）に向けて反射しないようにすることができるので、表示部１３の表示視認性や表示品位の低下を抑制することができる。
【００５３】
また、調光フィルム１２０は、電界無印加時に光透過性を発揮し、電界印加時の電圧が増加するに応じて、遮光性が上昇するものとしている。これにより、調光フィルム１２０による透過率の制御を必要としないときは、電界無印加として（電力消費を不要として）、調光フィルム１２０の光透過性が維持されるので、乗員の視界の妨げになることがない。
【００５４】
また、制御部１３０は、ウィンドウ１１のうち、太陽光が表示部１３の表示面１３Ａに入射する入射領域で部分的に、調光制御（調光フィルム１２０の透過率制御）するようにしている。これにより、調光フィルム１２０に対して、必要最小限度の調光制御を行うことができ、電力消費を抑えると共に、乗員の視界が不必要に妨げられることを抑制できる。
【００５５】
また、本実施形態では、乗員Ａ、Ｂの視線方向を検知する乗員視線検知部１１５を備えている。そして、制御部１３０は、車両１０が運転状態にあるとき、乗員Ａ、Ｂのうち、運転者（乗員Ａ）の視線方向に対応する調光フィルム１２０の調光制御を禁止するようにするとよい（ステップＳ１７０）。調光制御を禁止することで、運転者の視線方向において、調光フィルム１２０によってウィンドウ１１が遮光されることが無くなるので、運転の妨げになることが無い。
【００５６】
また、制御部１３０は、乗員Ａ、Ｂの視線が、表示部１３に向いているときに、調光制御を行うようにするとよい（ステップＳ１７０）。このような制御を行うことで、調光フィルム１２０に対して、必要最小限度の調光制御を行うことができ、電力消費を抑えると共に、乗員Ａ、Ｂの視界が妨げられることを抑制できる。
【００５７】
また、制御部１３０は、運転者を含む複数の乗員Ａ、Ｂの視線方向に基づいて、調光制御を行う際に、すべての乗員Ａ、Ｂに対して調光制御が同時に達成できないとき、複数の乗員Ａ、Ｂのうち、運転者（乗員Ａ）の視線方向に基づく調光制御を優先するようにしている（ステップＳ１６５、Ｓ１６７）。これにより、運転者に対して、表示部１３における表示視認性や表示品位の低下を抑制することができるので、安全運転に繋げることができる。
【００５８】
（その他の実施形態）
上記第１実施形態では、表示装置１００は、乗員視線検知部１１５を備えており、乗員Ａ、Ｂの視線方向を考慮した調光制御を行うものとして説明したが、乗員視線検知部１１５は、必須ではなく、省略したものとしてもよい。基本的には、太陽の位置と、自車位置とから、調光フィルム１２０における制御領域（部分領域、あるいは全面領域）を演算して、その領域における調光制御を行うものとすればよい。
【００５９】
また、上記第１実施形態では、調光フィルム１２０は、電界無印加時に光透過性を発揮し、電界印加時の電圧が増加するに応じて、遮光性が上昇するものとしたが、逆に、電界無印加時に遮光性を発揮し、電界印加時の電圧が増加するに応じて、透過性が上昇するものとしてもよい。
【００６０】
また、上記第１実施形態では、調光制御における調光フィルム１２０の対象領域を、１つの調光フィルム１２０において、図４（ｂ）で説明したように、部分的な領域とした。しかしながら、これに限らず、対象領域を複数の調光フィルム１２１〜１２６のうちの、１つの調光フィルムとして設定して、図４（ａ）に示すように、全面調光とするようにしてもよい。
【００６１】
また、上記第１実施形態では、外光を太陽光として説明したが、情報取得部１１０に光センサ等を設けて、例えば、後続車両の前照灯や、道路脇の街灯等に対して、調光制御を行うものとしてもよい。
【符号の説明】
【００６２】
１０    車両
１１    ウィンドウ
１３    表示部
１３Ａ  表示面
１００  車両用表示装置
１１０  情報取得部
１１５  乗員視線検知部
１２０  調光フィルム
１３０制御部
【図１】
2020050016.tif 000003
【図２】
2020050016.tif 000004
【図３】
2020050016.tif 000005
【図４】
2020050016.tif 000006
【図５】
2020050016.tif 000007
【図６】
2020050016.tif 000008
【図７】
2020050016.tif 000009
【図８】
2020050016.tif 000010
【図９】
2020050016.tif 000011